(57)【特許請求の範囲】
【請求項１】
底板と、
前記底板の周囲に立設された支持枠と、
前記支持枠間に保持され、内部に収容空間を形成するように、前記底板の周囲に立設される複数の側板と、
少なくともいずれか１の前記側板の下方に形成された取り出し口を開閉するように回動自在に装着された内側扉と、
前記内側扉の外側に装着してあり、前記内側扉が前記取り出し口を閉じる方向に回動している状態で、当該内側扉が前記取り出し口を開口することを抑止するように前記支持枠に対して取り外し自在に係合する内側ストッパ部材と、
前記内側扉の外側に前記取り出し口を開閉するように回動自在に装着され、前記取り出し口を閉じる方向に回動している状態で前記内側扉の外側に装着された前記内側ストッパ部材を覆うように装着される外側扉と、
前記収容空間内部に装着された両端開口の筒状の内袋であって、
前記内袋の下端開口部は、前記内側扉が前記取り出し口を閉じた状態では、前記取り出し口と内側扉との間に挟み込まれて閉塞し、前記内側扉が前記取り出し口を開く方向に回動した状態では、開口するようになっており、
前記内袋の上端開口部は、コンテナへの内容物の投入時には、前記複数の側板の上端を組み合わせて形成された投入口の周囲全体に折り返して開口し、コンテナの搬送時および前記取り出し口からの内容物の取り出し時には、少なくとも１の前記側板の上端に押さえ部材で挟み込まれて閉じるようになっている内袋と
を有するコンテナ。
【発明の詳細な説明】
【０００１】
【発明の属する技術分野】
本発明は、コンテナに係り、さらに詳しくは、たとえば瓶の蓋などのような小物部品をバラ積み保管および輸送することに適し、コンテナへの投入およびコンテナからの取り出しも容易であり、しかも、保管中や輸送中などに取り出し口が誤って開くことがないコンテナに関する。
【０００２】
【従来の技術】
粉末コーヒーなどの粉体を収容するガラス瓶の蓋として、たとえば直径５ｃｍ程度、高さ１．５ｃｍ程度、厚み０．５mm程度のプラスチック成形品の蓋が用いられる。このような食品接触用小物部品の保管および運送にあっては、衛生上の観点から塵埃の進入を防止することが重要である。
【０００３】
そこで、従来では、部品をまとめてプラスチックフィルム製袋に入れ、これを段ボール箱に梱包し、保管および輸送している。
【０００４】
【発明が解決しようとする課題】
ところが、このような段ボール製の箱では、取り扱い容量が小さいため、所定量の部品を保管または運送する場合には、箱の個数が増大し、部品の投入作業、梱包作業、部品の取り出し作業、箱の解体作業および袋の処分などに手間がかかり、作業の合理化につながらない。また、段ボール箱を廃棄処分することは、その処分に要する作業も煩雑になると共に、資源の無駄になり、省資源の要請に反する。
【０００５】
そこで、実公平７−４４，５９４号公報に示すように、コンテナを構成する側板の下端部に取り出し口と開閉扉を設けたコンテナが提案されている。このコンテナによれば、取り出し口の密閉化が容易で、しかも取り出し口の開閉が確実かつ容易に行える。
【０００６】
ところが、この種のコンテナにおいては、開閉扉の開閉を制限するためのストッパ部材が、コンテナの外部に露出する構成であるため、保管中や輸送中に、何らかの原因でストッパ部材に物がぶつかるおそれがあった。物がぶつかってもストッパ部材が外れないような工夫がなにもない場合には、ストッパ部材が外れ、コンテナの内容物が外部に露出するおそれがある。
【０００７】
本発明は、このような実状に鑑みてなされ、たとえば瓶の蓋などのような小物部品をバラ積み保管および輸送することに適し、コンテナへの投入およびコンテナからの取り出しも容易であり、しかも、保管中や輸送中などに取り出し口が誤って開くことがないコンテナを提供することを目的とする。
【０００８】
【課題を解決するための手段】
上記目的を達成するために、本発明に係るコンテナは、
底板と、
前記底板の周囲に立設された支持枠と、
前記支持枠間に保持され、内部に収容空間を形成するように、前記底板の周囲に立設される複数の側板と、
少なくともいずれか１の前記側板の下方に形成された取り出し口を開閉するように回動自在に装着された内側扉と、
前記内側扉の外側に装着してあり、前記内側扉が前記取り出し口を閉じる方向に回動している状態で、当該内側扉が前記取り出し口を開口することを抑止するように前記支持枠に対して取り外し自在に係合する内側ストッパ部材と、
前記内側扉の外側に回動自在に装着された外側扉と、を有する。
【０００９】
前記コンテナの内部には、両端開口の筒状の柔らかい内袋が装着してあり、
前記内側扉が前記取り出し口を閉じた状態では、前記内袋の下端開口部は、前記取り出し口と内側扉との間に挟み込まれて閉塞し、前記内側扉が前記取り出し口を開く方向に回動した状態では開口するようになっており、
前記内袋の上端開口部は、コンテナへの内容物の投入時には、前記複数の側板の上端を組み合わせて形成された投入口の周囲全体に折り返して開口し、コンテナの搬送時および前記取り出し口からの内容物の取り出し時には、少なくとも１の側板の上端に、押さえ部材で挟み込まれて閉じるようになっていることが好ましい。
【００１０】
前記内袋は、たとえばプラスチックフィルムで構成してあることが好ましい。また、前記押さえ部材は、断面略Ｕ字形状の弾力性を有する枠材で構成してあり、前記側板の上端に取り外し自在に嵌合することが好ましい。
【００１１】
前記内側ストッパ部材は、
前記内側扉の外側に固定された回動軸と、
この回動軸に対して回動自在に装着された回動片と、
この回動片を所定の第１方向に回動させようとする力を付勢するスプリングと、
前記回動片に連結してあり、回動片が前記第１方向へ回動した状態で、前記支持枠に対して先端部が係合し、前記回動片を前記第１方向と反対方向の第２方向へ強制的に回動させた場合に前記支持枠との係合が解除されるロッド部材とを有することが好ましい。
【００１２】
前記コンテナはパレットの上に組み立てられ、前記底板、支持枠、側板は、分解および再組立が可能であることが好ましい。なお、底板は、パレットの上面自体であっても良く、必ずしもパレットとは別に底板を設ける必要はない。
【００１３】
前記コンテナの投入口には、取り外し自在に蓋体が装着されることが好ましい。
【００１４】
前記外側扉には、当該外側扉が閉じた状態で、この外側扉の回動を制限する外側ストッパ部材が装着してあることが好ましい。また、この外側扉が開いた状態で、その外側扉の回動を制限する掛け具が前記支持枠または側板に装着してあることが好ましい。
【００１５】
【作用】
本発明に係るコンテナでは、コンテナの内部に内容物を投入する際には、側板の上端で区画された投入口から内容物を投入する。その投入口は、十分に大きいので、投入作業が容易であり、作業の自動化も容易である。その際には、取り出し口は、内側扉と外側扉とで二重に閉じてある。
【００１６】
内容物の保管および搬送に際しては、前記投入口を蓋体で蓋をする。コンテナの搬送および保管に際しては、取り出し口は、内側扉と外側扉との二重扉で蓋をしてある。しかも、内側扉は、内側ストッパ部材により支持枠に対して仮固定してあり、その内側ストッパ部材は、外側扉により覆われているため、コンテナの保管や輸送に際して、何らかの物体がストッパ部材に直接接触することはない。また、誤動作により誤ってストッパ部材を外してしまうおそれも少ない。したがって、保管中や輸送中などに取り出し口が誤って開くことがなく、内容物がコンテナ外に露出することもない。
【００１７】
また、内側ストッパ部材が外側扉により覆われており、誤って触ってしまうおそれがないことから、ストッパ部材の構造を単純化することができ、ワンタッチ式に内側扉を開閉することができる構造を採用することができる。
【００１８】
コンテナ内から内容物を取り出す際には、まず、外側扉を開口する方向に回動する。その後、内側ストッパ部材と支持枠との係合状態を解除し、内側扉を開口する方向に回動する。これにより取り出し口が開口し、そこから内容物が、それら自身の重力により取り出せる。コンテナの内部に内容物が残る場合には、コンテナを、底板が取り出し口方向に傾くように傾斜させればよい。コンテナを傾斜させる動作は自動化が容易であり、コンテナからの内容物の取り出しもきわめて容易になる。
【００１９】
本発明において、コンテナの内部に、両端開口の筒状の柔らかい内袋を、前述したような構成で装着すれば、内容物のコンテナへの投入およびコンテナからの取り出しがさらに容易になると共に、密封性が向上し、瓶の蓋などのような小物部品をバラ積み保管および輸送することに特に適している。特に、内袋をコンテナ内部に配置することで、取り出し口から内容物を取り出す際に、内袋の下端開口部は、内側扉の開口と共に開口し、内容物を取り出す際の排出シュートとしての機能を果たし、内容物を目的とする位置へ正確に排出することができる。内容物の取り出し（排出）に際しては、内袋の上端開口部は、押さえ部材で保持されているので、内容物と共に内袋が取り出し口からずれ落ちることはない。
【００２０】
本発明に係るコンテナの内容物としては、樹脂成形品に限らず、金属成形品、粉体、粒体などを例示することができる。
【００２１】
コンテナから内容物を取り出した後は、コンテナは解体されて戻され、再組立されて再利用されることが好ましいが、解体されずに戻されて再利用されても良い。内袋も、内容物によっては再利用されても良いが、廃棄されても良い。
【００２２】
【発明の実施の形態】
以下、本発明を、図面に示す実施形態に基づき説明する。
【００２３】
図１は本発明に係るコンテナの概略斜視図、図２は内側扉および外側扉の要部を示す斜視図、図３は内側ストッパ部材の概略斜視図、図４は内側扉および外側扉の開閉状態を示す概略断面図、図５（Ａ），（Ｂ）はそれぞれ外側ストッパ部材の使用状態を示す要部平面図および要部側面図である。
【００２４】
図１に示すように、本実施形態のコンテナ２は、フォークリフトにより昇降可能なパレット４の上に組み立てられる。パレット４は、たとえば金属パレットで構成してある。パレット４の上面には、取付金具６が装着してあり、この部分に、コンテナ２の各支持枠８の下端部が取り外し自在に装着される。また、パレット４の上面には、コンテナ２の底板１０が取り外し自在に装着される。この底板１０は、たとえば合板で構成される。
【００２５】
支持枠８の間には、側板１２ａ〜１２ｄが取り外し自在に装着される。なお、向かい合う側板１２ｂと側板１２ｄとは、支持枠８と一体となった固定側板で構成し、他の向かい合う側板１２ａと側板１２ｃとを差し込み式の側板とすることもできる。
【００２６】
側板１２ａ〜１２ｄを四方に配置することで、コンテナの内部には、立方体または直方体形状の収容空間が形成され、四方を囲む側板の上端は、矩形状の投入口１４を形成する。この投入口１４には、蓋体１６が着脱自在に装着され、投入口１４は、閉塞および開口可能になっている。
【００２７】
本実施形態では、一つの側板１２ａの右側上部に、カード差込枠１８が装着してある。このカード差込枠１８には、コンテナ２内に収容される内容物の種類や投入日などの情報が記入あるいは記録してある。
【００２８】
この側板１２ａの下方には、取り出し口２０が形成してある。この取り出し口２０は、コンテナ２の内部と連通している。この取り出し口２０の大きさは、特に限定されないが、コンテナ２の一側面全体の面積Ａの下半分の面積を超えない程度の大きさであり、好ましくは、一側面全体の面積Ａの１５〜４５％の大きさである。
【００２９】
この取り出し口２０には、図２，４に示すように、内側扉２２が取り出し口２０を開閉するように回動自在に装着してある。内側扉２２は、側板１２ａの下端部に装着された蝶番２４を支点として回動自在になっている。内側扉２２は、矩形状の扉枠２６と、扉枠２６により保持された扉用パネル２８とを有する。扉用パネル２８の外表面には、図２，３に示す内側ストッパ部材３０が装着してある。
【００３０】
内側ストッパ部材３０は、内側扉２２のパネル２８の外面に、回動軸固定金具３２がビスなどで固定してある。この回動軸固定金具３２には、回動軸３４が形成してあり、ここに回動片３６が回動軸３４を支点として回動自在に装着してある。回動片３６の操作部側には、スプリング３８の一端が装着してある。スプリング３８の他端は、固定金具４０に連結してある。図２に示すように、固定金具４０は、内側扉２２のパネル２８の外面に固定してある。図２，３に示すように、このスプリング３８のスプリング力は、常時、回動片３６を第１回動方向Ｘに回動させる方向に作用する。
【００３１】
図２，３に示すように、回動片３６には、右ロッド部材４２の基端部が回動軸３４の上方位置で連結してあると共に、左ロッド部材４４の基端部が回動軸３４の下方位置に連結してある。これらの連結位置は、回動軸３４を挟んで相互に反対側となる。右ロッド部材４２は、図２，３に示すように、その長手方向途中で二回曲折してあり、長手方向途中からは左ロッド部材４４の軸心と略同一軸心となるようになっている。
【００３２】
これらロッド部材４２，４４のそれぞれの先端部は、軸受金具４６により軸方向移動自在に保持してあり、最終的には、扉枠２６に形成された通孔４８を貫通して扉枠２６から飛び出し可能になっている。回動片３６を操作していない状態では、スプリング３８のスプリング力は、前述したように、回動片３６を第１方向Ｘへ回動させようとする。このため、二つのロッド部材のそれぞれの先端部は、通常状態では、扉枠２６から飛び出すようになっている。これらのロッド部材４２，４４の先端部は、図２に示す支持枠８の内側に形成された嵌合孔５０または嵌合用凹所に嵌合可能になっている。
【００３３】
したがって、内側扉２２を内側に回動し、その扉枠２６の両側部を支持枠８と向かい合わせ、取り出し口２０を閉塞させた状態では、それぞれのロッド部材４２，４４の先端部は、嵌合孔５０内に嵌合し、内側扉２２が不意に開くことを防止している。内側扉２２を外側に回動して取り出し口２０を開ける場合には、まず、作業者の手またはロボットハンドにより回動片３６を操作し、この回動片３６を第１方向Ｘと反対の第２方向にスプリング３８の力に逆らって回動させる。すると、ロッド部材４２，４４は、回動片３６方向Ｙに引っ張られ、ロッド部材４２，４４の各先端部は、扉枠２６の通孔４８内に引き込められ、支持枠８との係合が解除される。その結果、内側扉２２は、自由に外側に回動可能となる。
【００３４】
図２，４に示すように、内側扉２２の外側には、外側扉５２が蝶番５４を支点として回動自在に装着してある。蝶番５４は、たとえば図４に示すように、側板１２ａの下端部を保持する枠材５６に対して装着してある。外側扉５２の最大開状態を図２に示す。図２に示すように、外側扉５２が最大開状態位置で、側板１２ａの外面に仮止め可能なように、側板１２ａの外面の所定位置には、回転可能な楕円形の仮止め具５８が装着してある。この仮止め具５８を回転させることで、ある回転位置で、外側扉５２を開位置で仮止めし、その他の回転位置で、外側扉５２の仮止めを解除するようになっている。
【００３５】
外側扉５２の端縁部の略中央部には、図４，５に示すように、外側ストッパ部材６０が装着してある。外側ストッパ部材６０は、外側扉の端縁部の略中央部に取り付けられた回動軸６２を中心として回動自在となっている。外側ストッパ部材６０は、レバー６４と、係止片６６とを有し、レバー６４を操作することで、回動軸６２を支点として、係止片６６が、底枠７０の係止用凹所６８内に係止する位置と、そこから外れる位置に回動する。コンテナの保管や輸送に際しては、図５（Ａ），（Ｂ）に示すように、係止片６６が係止用凹所６８内に係止し、外側扉５２が開かないようになっている。
【００３６】
取り出し口２０を開ける際には、まず、レバー６４を操作し、係止片６６を回動させ、係止片６６を係止用凹所６８内から取り出す。その結果、外側扉５２の回動が可能となる。次に、外側扉５２を最大限に回動し、図２に示すように、仮止め具５８で仮止めする。その後、前述した方法で内側扉２２を外側に回動し、取り出し口２０を開ける。
【００３７】
図１，２，４に示すように、コンテナ２の内部には、両端開口の円筒状の柔らかい内袋８０が装着してある。内袋８０は、たとえばポリエチレン、ＰＶＣなどのプラスチックフィルムで構成してある。その大きさは、コンテナ２の大きさに応じて選択される。
【００３８】
この両端開口の内袋８０の下端開口部８４は、図４に示すように、内側扉２２が取り出し口２０を閉じた状態では、前記取り出し口２０の底枠７０と内側扉２２との間に挟み込まれて閉塞する。そして、この下端開口部８４の最下端は、内側扉２２に沿って上側に折り返され、その状態で、外側扉５２を閉じる方向に回動させ、外側扉５２と内側扉２２との間に保持する。取り出し口２０から飛び出す内袋８０の下端開口部の長さは、特に限定されないが、排出シュートとしての機能を有することから、３０〜５０ｃｍ程度が好ましい。
【００３９】
内袋８０の下端開口部８４は、内側扉２２が閉じた状態では、上述したように閉塞され、袋８０の内部に内容物を投入可能となるが、内側扉２２が取り出し口２０を開く方向に回動した状態では開口するようになっている。そのため、この下端開口部８４を通して内容物の排出が可能となる。
【００４０】
内袋８０の上端開口部８２は、図１に示すように、コンテナ２への内容物の投入時には、複数の側板の上端を組み合わせて形成された投入口１４の周囲全体に折り返して開口する。そして、内容物の投入作業が終わり、蓋体１６を被せる前に、図１に示す内袋８０の上端開口部８２を閉じ、それを、好ましくは、図４に示すように、取り出し口２０が下端部に形成された側板１２ａに対して反対側に向き合う側板１２ｃの上端に、押さえ部材９０で挟み込む。その後、図１に示す蓋体１６で投入口１４の蓋をする。その結果、コンテナ２の保管時、搬送時および取り出し口２０からの内容物の取り出し時には、内袋８０の上端開口部８２は、側板１２ｃの上端に、押さえ部材９０で挟み込まれて閉塞される。
【００４１】
押さえ部材９０は、図１，４に示すように、断面略Ｕ字形状の弾力性を有するプラスチック製又は金属製の枠材で構成してあり、側板１２ｃの上端に取り外し自在に嵌合するようになっている。
【００４２】
本実施形態に係るコンテナ２では、コンテナ２の内部に、瓶の蓋などの内容物を投入する際には、図１に示す側板１２ａ〜１２ｄの上端で区画された投入口１４から内容物を投入する。その際には、内袋８０の上端開口部８２は、図１に示すように、投入口１４の周囲全体に折り返して開口する。また、その状態では、内袋８０の下端開口部８４は、図４に示す内側扉２２と底枠７０との間に挟み込まれて閉塞してある。したがって、内容物は、投入口１４からコンテナ２の内袋８０内にきわめて容易に投入され、その作業の自動化も可能である。
【００４３】
コンテナ２の保管および搬送に際しては、図４に示す取り出し口２０は、内側扉２２と外側扉５２との二重扉で蓋をしてある。しかも、内側扉２２は、図２，３に示す内側ストッパ部材３０により支持枠８に対して仮固定してあり、その内側ストッパ部材３０は、外側扉５２により覆われている。このため、コンテナ２の保管や輸送に際して、何らかの物体がストッパ部材３０に直接接触することはない。また、誤動作により誤ってストッパ部材３０を外してしまうおそれも少ない。したがって、保管中や輸送中などに取り出し口２０が誤って開くことがなく、内容物がコンテナ２外に露出することもない。
【００４４】
また、内側ストッパ部材３０が外側扉５２により覆われており、誤って触ってしまうおそれがないことから、図２，３に示すように、ストッパ部材３０の構造を単純化することができ、ワンタッチ式に内側扉２２を開閉することができる構造を採用することができる。
【００４５】
コンテナ２内から内容物を取り出す際には、まず、図５（Ａ），（Ｂ）に示すレバー６４を操作し、係止片６６と係止用凹所６８との係止を解除する。これにより、外側扉５２の回動が自由となり、開口する方向に外側扉５２を回動する。そして、図２に示すように、外側扉５２を最大限に回動した状態で、仮止め具５８を操作し、外側扉５２の回動を制限し、外側扉５２を開状態で仮止めする。
【００４６】
その後、図２，３に示す内側ストッパ部材３０の回動片３６を手またはロボットハンドで回動操作し、ロッド部材４２，４４を矢印Ｙ方向に引き込み、ロッド部材４２，４４の先端部と支持枠８との係合状態を解除する。そして、取り出し口２０を開口する方向に内側扉２２を回動する。これにより取り出し口２０が開口し、同時に、図２に示すように、内袋８０の下端開口部８４も開口し、そこから内袋８０の内容物が、それら自身の重力により取り出せる。コンテナ２の内部に内容物が残る場合には、コンテナ２を、図１に示す底板１０が取り出し口２０方向に傾くように傾斜させればよい。コンテナ２を傾斜させる動作は自動化が容易であり、コンテナ２からの内容物の取り出しもきわめて容易になる。
【００４７】
特に本実施形態では、本発明において、コンテナ２の内部に、両端開口の筒状の柔らかい内袋８０を、前述したような構成で装着してあるので、内容物のコンテナ２への投入およびコンテナ２からの取り出しがさらに容易になると共に、密封性が向上し、瓶の蓋などのような小物部品をバラ積み保管および輸送することに特に適している。特に、取り出し口２０から内容物を取り出す際に、内袋８０の下端開口部８４は、内側扉２２の開口と共に開口し、内容物を取り出す際の排出シュートとしての機能を果たし、内容物を目的とする位置へ正確に排出することができる。内容物の取り出し（排出）に際しては、内袋８０の上端開口部８２は、図４に示す押さえ部材９０で保持されているので、内容物の排出と共に内袋８０が取り出し口２０からずれ落ちることはない。
【００４８】
コンテナ２から内容物を取り出した後は、コンテナ２は解体されて戻され、再組立されて再利用されることが好ましいが、解体されずに戻されて再利用されても良い。内袋８０も、内容物によっては再利用されても良いが、廃棄されても良い。
【００４９】
なお、本発明は、上述した実施形態に限定されるものではなく、本発明の範囲内で種々に改変することができる。
【００５０】
たとえば、本発明に係るコンテナの内容物としては、樹脂成形品に限らず、金属成形品、粉体、粒体などを例示することができる。
【００５１】
【発明の効果】
以上説明してきたように、本発明に係るコンテナによれば、内側扉は、内側ストッパ部材により支持枠に対して仮固定してあり、その内側ストッパ部材は、外側扉により覆われているため、コンテナの保管や輸送に際して、何らかの物体がストッパ部材に直接接触することはない。また、誤動作により誤ってストッパ部材を外してしまうおそれも少ない。したがって、保管中や輸送中などに取り出し口が誤って開くことがなく、内容物がコンテナ外に露出することもない。
【００５２】
また、内側ストッパ部材が外側扉により覆われており、誤って触ってしまうおそれがないことから、ストッパ部材の構造を単純化することができ、ワンタッチ式に内側扉を開閉することができる構造を採用することができる。
【００５３】
本発明において、コンテナの内部に、両端開口の筒状の柔らかい内袋を、前述したような構成で装着すれば、内容物のコンテナへの投入およびコンテナからの取り出しがさらに容易になると共に、密封性が向上し、瓶の蓋などのような小物部品をバラ積み保管および輸送することに特に適している。特に、内袋をコンテナ内部に配置することで、取り出し口から内容物を取り出す際に、内袋の下端開口部は、内側扉の開口と共に開口し、内容物を取り出す際の排出シュートとしての機能を果たし、内容物を目的とする位置へ正確に排出することができる。内容物の取り出し（排出）に際しては、内袋の上端開口部は、押さえ部材で保持されているので、内容物と共に内袋が取り出し口からずれ落ちることはない。
【図面の簡単な説明】
【図１】図１は本発明に係るコンテナの概略斜視図である。
【図２】図２は内側扉および外側扉の要部を示す斜視図である。
【図３】図３は内側ストッパ部材の概略斜視図である。
【図４】図４は内側扉および外側扉の開閉状態を示す概略断面図である。
【図５】図５（Ａ），（Ｂ）はそれぞれ外側ストッパ部材の使用状態を示す要部平面図および要部側面図である。
【符号の説明】
２…  コンテナ
４…  パレット
８…  支持枠
１０…  底板
１２ａ〜１２ｄ…  側板
１４…  投入口
１６…  蓋体
２０…  取り出し口
２２…  内側扉
３０…  内側ストッパ部材
３４…  回動軸
３６…  回動片
３８…  スプリング
４２，４４…  ロッド部材
４８…  通孔
５０…  嵌合孔
５２…  外側扉
５８…  仮止め金具
６０…  外側ストッパ部材
６８…  係止用凹所
７０…  底枠
８０…  内袋
８２…  上端開口部
８４…  下端開口部
９０…  押さえ部材
【図１】
0003799484.tif 000002
【図２】
0003799484.tif 000003
【図３】
0003799484.tif 000004
【図４】
0003799484.tif 000005
【図５】
0003799484.tif 000006